(57)【特許請求の範囲】
【請求項１】
円形天面壁及び該天面壁から垂下する円筒状スカート壁を有する本体と、周方向に間隔をおいて配設された複数個の破断可能橋絡部を介して該本体の該スカート壁に接続された円筒状タンパーエビデント裾部とを備え、該スカート壁の外周面には、その周方向全周に渡って且つ少なくともその軸線方向の大部分に渡って、軸線方向に延びる多数の突条部と隣接する突条部間に位置する多数の非突条部とから構成されたナールが配設されている合成樹脂製容器蓋において、
該本体の該スカート壁には下方に突出する突出片が配設されており、該突出片の周方向両側には、該本体の該スカート壁と該タンパーエビデント裾部とを接続する非破断接続片が配設されており、該非破断接続片の一方は、下方に向かって傾斜して或いは実質上水平に周方向片側に延びる第一の傾動部と該第一の傾動部に続いて下方に向かって傾斜して或いは実質上水平に周方向他側に延びる第二の傾動部を有し、該非破断接続片の他方は、下方に向かって傾斜して或いは実質上水平に周方向他側に延びる第一の傾動部と該第一の傾動部に続いて下方に向かって傾斜して或いは実質上水平に周方向片側に延びる第二の傾動部を有し、
該ナールの軸線方向下部における該突条部と該非突条部との平均半径方向段差寸法は、該ナールの軸線方向上部における該突条部と該非突条部との平均半径方向段差寸法よりも小さく設定されており、該ナールの軸線方向下部には印刷が施されている、ことを特徴とする合成樹脂製容器蓋。
【請求項２】
該ナールの軸線方向上部における該突条部と該非突条部との半径方向段差は軸線方向全体に渡って一定であり、該ナールの軸線方向下部における該突条部と該非突条部との半径方向段差は該ナールの軸線方向上部における該突条部と該非突条部との半径方向段差と同一の値から零まで軸線方向下方に向かって漸次低減せしめられている、請求項１記載の合成樹脂製容器蓋。
【請求項３】
該ナールの軸線方向下部における該突条部と該非突条部との半径方向段差は０．２８乃至０．４０ｍｍから零まで軸線方向下方に向かって漸次低減せしめられている、請求項２記載の合成樹脂製容器蓋。
【請求項４】
該ナールの軸線方向上部における該突条部と該非突条部との半径方向段差は軸線方向全体に渡って一定であり、該ナールの軸線方向下部における該突条部と該非突条部との半径方向段差も軸線方向全体に渡って一定である、請求項１記載の合成樹脂製容器蓋。
【発明の詳細な説明】
【技術分野】
【０００１】
本発明は、合成樹脂製容器蓋、更に詳しくは円形天面壁及びこの天面壁から垂下する円筒状スカート壁を有する本体と、周方向に間隔をおいて配設された複数個の破断可能橋絡部を介して本体の該スカート壁に接続された円筒状タンパーエビデント裾部とを備え、スカート壁の外周面には、その周方向全周に渡って且つ少なくともその軸線方向の大部分に渡って、軸線方向に延びる多数の突条部と隣接する突条間に位置する多数の非突条部とから構成されたナールが配設されている合成樹脂製容器蓋に関する。
【背景技術】
【０００２】
周知の如く、適宜の合成樹脂或いはガラスから形成された飲料用容器のための容器蓋として、円形天面壁及びこの天面壁から垂下する円筒状スカートを有する本体と、周方向に間隔をおいて配設された複数個の破断可能橋絡部を介して本体のスカート壁に接続された円筒状タンパーエビデント裾部とを備えた合成樹脂製容器蓋が広く実用に供されている。スカート壁の外周面には、その周方向全周に渡って且つ少なくともその軸線方向の大部分に渡って、軸線方向に延びる多数の突条部と隣接する突条間に位置する多数の非突条部とから構成されたナールが配設されている。
【０００３】
上述した形態の容器蓋においては、一般に、その天面壁の上面に所要印刷（例えば商品名及び販売会社名）が施されると共に、そのタンパーエビデント裾部の外周面にも所要印刷（例えば容器内容物の賞味期限、充填日及び充填場所を示す数字及び文字）が印刷される。印刷はインクジェットプリンターの如き適宜の印刷機によって遂行される。然るに、例えば、周方向特定領域において、本体のスカート壁の下端縁が上方に変位されると共にタンパーエビデント裾部の上端縁が下方に変位され、かかる特定領域にはタンパーエビデント裾部に対して本体が上方に移動せしめられると鉛直線に対する傾斜角度が漸次低減せしめられる傾動部を含む非破段接続片が配設されている形態の容器蓋においては、タンパーエビデント裾部の外周面に印刷を施すためには印刷機に対して容器蓋の所要角度領域、即ち上記特定領域以外の領域、を所要とおりに位置付けることが必要であり、実際上は不可能ではないにしても著しく困難である。タンパーエビデント裾部の外周面に代えて、本体のスカート壁の外周面に印刷せんとすると、スカート壁の外周面に配設されているナールの存在に起因して印刷が著しく不鮮明になってしまう。
【０００４】
下記特許文献１には、本体のスカート壁の外周面に充分に鮮明な印刷を施すことを可能にするために、スカート壁の軸線方向一部、例えば軸線方向上部、中間部又は下部においては周方向全体に渡ってナールの配設を省略することが開示されている。
【先行技術文献】
【特許文献】
【０００５】
【特許文献１】特開２００３−２３７８１４号公報
【発明の概要】
【発明が解決しようとする課題】
【０００６】
而して、上記特許文献１に開示されているとおりスカート壁の軸線方向の一部においてナールの配設を省略すると、本発明者等の経験によれば、所謂グリップ性（容器蓋を回転するために消費者がスカート壁の外周面に指を係合せしめて容器蓋を把持した際の把持特性）が著しく劣化してしまう。スカート壁の軸線方向上部においてナールの配設を省略した場合には、容器の口頸部に容器蓋を自動的に装着するための装着装置において、容器蓋保持チャックによる容器蓋の保持が不充分になってチャックに対して容器蓋が相対的に回転してしまう事態が発生し、容器蓋の自動装着操作が不可能になる。
【０００７】
本発明は上記事実に鑑みてなされたものであり、その主たる技術的課題は、容器蓋のグリップ性を著しく劣化せしめることなく且つ容器蓋の自動装着操作を不可能にせしめることなく、スカート壁の外周面に所要印刷を施すことができる、新規且つ改良された合成樹脂製容器蓋を提供することである。
【課題を解決するための手段】
【０００８】
本発明者等は、鋭意検討及び実験の結果、ナールにおける突条部と非突条部との半径方向段差を比較的小さくすれば、段差に起因する印刷の劣化を充分に回避することができること、そしてまたスカート壁の外周面における軸線方向上部ではなくて下部においてナールの突条部と非突条部との半径方向段差を比較的小さくしても、容器蓋の自動装着操作が毀損されることはなく且つ容器蓋のグリップ性の劣化を充分に回避乃至抑制することができることを見出し、スカート壁の外周面に配設されているナールの軸線方向下部における突条部と非突条部との平均半径方向段差寸法を、ナールの軸線方向上部における突条部と非突条部との平均半径方向段差寸法よりも小さく設定することによって、上記主たる技術的課題を達成することができることを見出した。
【０００９】
即ち、本発明によれば、円形天面壁及び該天面壁から垂下する円筒状スカート壁を有する本体と、周方向に間隔をおいて配設された複数個の破断可能橋絡部を介して該本体の該スカート壁に接続された円筒状タンパーエビデント裾部とを備え、該スカート壁の外周面には、その周方向全周に渡って且つ少なくともその軸線方向の大部分に渡って、軸線方向に延びる多数の突条部と隣接する突条部間に位置する多数の非突条部とから構成されたナールが配設されている合成樹脂製容器蓋において、
該本体の該スカート壁には下方に突出する突出片が配設されており、該突出片の周方向両側には、該本体の該スカート壁と該タンパーエビデント裾部とを接続する非破断接続片が配設されており、該非破断接続片の一方は、下方に向かって傾斜して或いは実質上水平に周方向片側に延びる第一の傾動部と該第一の傾動部に続いて下方に向かって傾斜して或いは実質上水平に周方向他側に延びる第二の傾動部を有し、該非破断接続片の他方は、下方に向かって傾斜して或いは実質上水平に周方向他側に延びる第一の傾動部と該第一の傾動部に続いて下方に向かって傾斜して或いは実質上水平に周方向片側に延びる第二の傾動部を有し、
該ナールの軸線方向下部における該突条部と該非突条部との平均半径方向段差寸法は、該ナールの軸線方向上部における該突条部と該非突条部との平均半径方向段差寸法よりも小さく設定されており、該ナールの軸線方向下部には印刷が施されている、ことを特徴とする合成樹脂製容器蓋が提供される。
【００１０】
好適には、該ナールの軸線方向上部における該突条部と該非突条部との半径方向段差は軸線方向全体に渡って一定であり、該ナールの軸線方向下部における該突条部と該非突条部との半径方向段差は該ナールの軸線方向上部における該突条部と該非突条部との半径方向段差と同一の値から零まで軸線方向下方に向かって漸次低減せしめられている。該ナールの軸線方向下部における該突条部と該非突条部との半径方向段差は０．２８乃至０．４０ｍｍから零まで軸線方向下方に向かって漸次低減せしめられているのが好ましい。該ナールの軸線方向上部における該突条部と該非突条部との半径方向段差は軸線方向全体に渡って一定に設定し、該ナールの軸線方向下部における該突条部と該非突条部との半径方向段差も軸線方向全体に渡って設定することもできる。
【発明の効果】
【００１１】
本発明の合成樹脂製容器蓋によれば、容器蓋のグリップ性を著しく劣化せしめることなく且つ容器蓋の自動装着操作を不可能にせしめることなく、スカート壁の外周面に許容される鮮明度を有する印刷を施すことができる。
【図面の簡単な説明】
【００１２】
【図１】本発明に従って構成された合成樹脂製容器蓋の好適実施形態を示す正面図。
【図２】図１に図示する容器蓋を容器の口頸部に装着して口頸部を密封した状態を、一部を断面で示す正面図。
【図３】本発明に従って構成された合成樹脂製容器蓋の変形例を示す部分断面図。
【図４】図１に図示する容器蓋の突出片を示す部分断面図。
【図５】図２に図示する状態から、口頸部を開封するために容器蓋を開方向に幾分回転せしめた状態を示す正面図。
【図６】図４に図示する状態から容器蓋を更に開方向に回転せしめて容器蓋の本体を口頸部から離脱せしめて所定位置に保持した状態を示す正面図。
【図７】実験例における印刷結果を示す写真。
【発明を実施するための形態】
【００１３】
以下、本発明に従って構成された合成樹脂製容器蓋の好適実施形態を図示している添付図面を参照して、更に詳細に説明する。
【００１４】
本発明に従って構成された合成樹脂製容器蓋の好適実施形態を図示している図１及び図２を参照して説明すると、ポリエチレン又はポリプロピレンの如き適宜の合成樹脂から射出成形又は圧縮成形によって好都合に一体成形することができる、全体を番号２で示す容器蓋は、本体４とタンパーエビデント裾部６とを含んでいる。本体４は円形天面壁８とこの天面壁８の周縁から垂下する円筒形状のスカート壁１０とを有する。天面壁８の上面中央部には射出成形の際に突起が生成されるのを回避するための円形凹部１２が形成されている。天面壁８の内面には２条のシール突条、即ち内側環状突条１４及び外側環状突条１６が形成されている。
【００１５】
図１及び図２を参照して説明を続けると、図示の容器蓋２においては、本体４の天面壁８の上面とスカート壁１０の外周面は断面図において円弧状の境界面１１を介して接続されている。そして、スカート壁１０の外周面の主部１３は実質上鉛直に垂下せしめられており、スカート壁１０の下端部１５は軸線方向下方に向かって半径方向外方に傾斜して延び、次いで実質上鉛直に延びている。スカート壁１０の外周面における上記主部１３には、周方向に間隔をおいて軸線方向に延びる突条部１７とかかる突条部１７間に位置する非突条部１９とから構成されたナール１８が形成されている。突条部１７の横断面形状は略二等辺三角形状である。所望ならば突条部１７の横断面形状を台形或いは半円形状等の他の適宜の形状にせしめることもできる。而して、本発明に従って構成された合成樹脂製容器蓋２においては、ナール１８の軸線方向下部１８Ｂにおける突条部１７と非突条部１９との平均半径方向段差はナール１８の軸線方向上部１８Ａにおける突条部１７と非突条部１９との平均半径方向段差よりも小さく設定されていることが重要である。図１及び図２に図示する実施形態においては、ナール１８の軸線方向上部１８Ａにおいては突条部１７と非突条部１９との半径方向段差Ｘ１は軸線方向全体に渡って実質上同一であるが、ナール１８の軸線方向下部１８Ｂにおいては突条部１７と非突条部１９との半径方向段差Ｘ２は上記半径方向段差Ｘ１から零まで下方に向かって漸次低減せしめられている。更に詳述すると、図示の実施形態においては、突条部１７の突出先端縁はナール１８の軸線方向全体に渡って実質上鉛直に延びているが、非突条部１９の外周面はナール１８の軸線方向上部１８Ａにおいては実質上鉛直に延びているがナール１８の軸線方向下部１８Ｂにおいては下方に向かって半径方向外方に傾斜して延びており、ナール１８の下端においては突条部１７の先端縁に合致せしめられている。ナール１８の軸線方向上端部１８Ａにおける突条部１７と非突条部１９との半径方向段差Ｘ１は０．２８乃至０．４０ｍｍであるのが好適である。また、ナール１８の軸線方向下部１８Ｂの軸線方向寸法Ｌは２．００乃至６．００ｍｍであるのが好適である。
【００１６】
図３はナール１８の変形実施形態を図示している。図３に図示する変形実施形態においては、非突条部１９の外周面にはナール１８の軸線方向上部１８Ａと軸線方向下部１８Ｂとの境界において段部が生成されており、軸線方向上部において非突条部１９の外周面が実質上鉛直に延びていると共にナール１８の軸線方向下部においても非突条部１９の外周が実質上鉛直に延びている。従って、ナール１８の軸線方向下部１８Ｂにおいては突条部１７と非突条部１９との半径方向段差Ｘ２は一定であり、かかる半径方向段差Ｘ２はナール１８の軸線方向上部における突条部１７と非突条部１９との半径方向段差Ｘ１よりも小さい。ナール１８の軸線方向下部１８Ｂにおける突条部１７と非突条部１９との半径方向段差Ｘ２は０．１４乃至０．１６ｍｍであるのが好適である。
【００１７】
図１及び図２を参照して説明を続けると、タンパーエビデント裾部６は全体として円筒形状であり、周方向に間隔をおいて配設された複数個の破断可能橋絡部２６（そのうちの１個を図２に図示している）を介して本体４のスカート壁１０に接続させている。破断可能橋絡部２６は特開２００７−１９１２０６号公報に開示されている破断可能橋絡部と実質上同一でよく、上端部はスカート壁１０の内周面下端部に接続され下端部はタンパーエビデント裾部６の内周面上端部に接続されている。タンパーエビデント裾部６の内周面には係止手段３４が配設されている。図示の実施形態における係止手段３４は、周方向に間隔をおいて配設された複数個の係止片（そのうちの１個を図２に図示している）から構成されており、係止片の各々はタンパーエビデント裾部６の内周面から半径方向内方に傾斜して上方に延出せしめられている。
【００１８】
図１及び図２において番号４２で示す領域において、本体４のスカート壁１０の下端縁は他の領域の下端縁よりも上方に変位せしめられており、またタンパーエビデント裾部６の上端縁は他の領域の上端縁よりも下方に変位せしめられ、そして更に領域４２の中央部においてはタンパーエビデント裾部６の上端縁は更に幾分下方に変位せしめられており、スカート壁１０とタンパーエビデント裾部６との間には正面図において略横長矩形状の開口４４が生成されている。開口４４の周方向中央部において、スカート壁１０には下方に突出する略矩形状の突出片４６が形成されている。図４を参照することによって明確に理解される如く、突出片４６は実質上垂直に垂下し、次いで半径方向外方に若干変位した後に実質上鉛直に垂下しており、その外面には段部４７が形成されている。
【００１９】
図１及び図２に明確に図示するとおり、上記開口４４内には、更に、突出片４６の両側に位置する非破断接続片５０ａ及び５０ｂが配設されている。図示の実施形態における非破断接続片５０ａは、スカート壁１０の下端縁に接続された上端部５２ａ、この上端部５２ａに続いて下方に向かって周方向片側（図１及び図２において右側）に実質上水平に延びる第一の傾動部５４ａ、第一の傾動部５４ａの延出端部から若干下方に延びる中間部５６ａ、中間部５６ａに続いて下方に向かった周方向他側（図１及び図２において左側）に実質上水平に第二の傾動部５８ａ及び第二の傾動部５８ａの延出端部から若干下方に延びてタンパーエビデント裾部６に接続されている下端部６０ａから構成されている。非破断接続片５０ａにおける下端部６０ａは薄肉であること、換言すれば他の部分、即ち上端部５２ａ、第一の傾動部５４ａ、中間部５６ａ及び第二の傾動部５８ａ、と比べて肉厚が低減せしめられている。非破断接続片５０ｂは非破断接続片５０ａと線対称形状であり、スカート壁１０の下端縁に接続された上端部５２ｂ、この上端部５２ｂに続いて下方に向かって周方向他側（図１及び図２において左側）に実質上水平に延びる第一の傾動部５４ｂ、第一の傾動部５４ｂの延出端部から若干下方に延びる中間部５６ｂ、中間部５６ｂに続いて下方に向かった周方向片側（図１及び図２において右側）に実質上水平に延びる第二の傾動部５８ｂ及び第二の傾動部５８ｂの延出端部から若干下方に延びてタンパーエビデント裾部６に接続されている下端部６０ｂから構成されている。非破断接続片５０ｂにおける下端部６０ｂは薄肉であること、換言すれば他の部分、即ち上端部５２ｂ、第一の傾動部５４ｂ、中間部５６ｂ及び第二の傾動部５８ｂ、と比べて肉厚が低減せしめられている。非破断接続片５０ａ及び５０ｂにおける上端部５２ａ及び５２ｂ、第一の傾動部５４ａ及び５４ｂ、中間部５６ａ及び５６ｂ並びに第二の傾動部５８ａ及び５８ｂの肉厚は０．４０乃至１．２０ｍｍ程度で、非破断接続片５０ａ及び５０ｂにおける下端部６０ａ及び６０ｂの肉厚は０．２０乃至０．４０ｍｍ程度でよい。所望ならば、非破断接続片５０ａにおける第一の傾動部５４ａ及び第二の傾動部５８ａ並びに非破断接続片５０ｂにおける第一の傾動部５４ｂ及び第二の傾動部５８ｂを水平ではなくて下方に幾分傾斜して延在するようになすこともできる。
【００２０】
図２を参照して説明を続けると、ポリエチレンテレフタレートの如き適宜の合成樹脂或いはガラスから形成することができる容器の口頸部６４は全体として円筒形状であり、その上面は開口されている。口頸部６４の外周面には、雄螺条６６とこの雄螺条６６の下方に位置する係止あご部６８が形成されている。図６に図示する如く、雄螺条６６には周方向に間隔おいて通気用切欠６７が形成されている。
【００２１】
口頸部６４に容器蓋２を装着して口頸部６４を密封する際には、口頸部６４に容器蓋２を被嵌して閉方向（図２において上方から見て時計方向）に回転せしめ、口頸部６４の雄螺条６６に容器蓋２の雌螺条２０を螺合せしめる。雄螺条６６に対する雌螺条２０の螺合の進行に応じて容器蓋２は口頸部６４に対して漸次下降する。図２に図示する状態まで口頸部６４に対して容器蓋２が下降せしめられると、容器蓋２の本体４における天面壁８の内面に形成されている内側環状突条１４及び外側環状突条１６が夫々口頸部６４の内周面及び外周面に密接せしめられ、これによって口頸部６４が密封される。容器蓋２のタンパーエビデント裾部６の内周面に配設されている係止手段３４は口頸部６４の係止あご部６８を弾性的に乗り越えて、係止あご部６８の下面に係止せしめられる。
【００２２】
口頸部６４を開封する際には、容器蓋２を開方向（図２において上方から見て反時計方向）に回転せしめ、口頸部６４の雄螺条６６に対する容器蓋２の雌螺条２０の螺合を漸次解除する。螺合を漸次解除すると容器蓋２の本体４は開方向に回転せしめられると共に上昇せしめられるが、タンパーエビデント裾部６は係止手段３４が口頸部６４の係止あご部６８に係止しているので上昇が阻止され、これに起因して破断可能橋絡部２６に相当な応力が生成され、破断可能橋絡部２６が破断される。しかる後においては、容器蓋２の本体２は開方向への回転と共に上昇し、タンパーエビデント裾部６から上方に漸次離間せしめられる。図２と共に図４を参照することによって明確に理解される如く、タンパーエビデント裾部６から本体４が漸次上方に離間せしめられると、非破断接続片５０ａの第一の傾動片５４ａ及び非破断接続片５０ｂの第二の傾動部５８ｂは夫々の上端及び下端を中心として図２及び図５において時計方向に旋回、即ち時計方向に傾動され、一方非破断接続片５０ａの第二の傾動片５８ａ及び非破断接続片５０ｂの第一の傾動部５４ｂは夫々の下端及び上端を中心として図２及び図５において反時計方向に旋回、即ち反時計方向に傾動され、これに応じて非破断接続片５０ａ及び５０ｂにおける第一の傾動部５４ａ及び５４ｂ並びに第二の傾動部５８ａ及び５８ｂの鉛直線に対する傾斜角度αが漸次低減される。図２及び図５と共に図６を参照することによって明確に理解される如く、口頸部６４の雄螺条６６に対する容器蓋２の雌螺条２０の螺合が完全に解除されると、容器蓋２の本体４は口頸部６４から離脱される。しかしながら、本体４は非破断接続片５０ａ及び５０ｂを介して、口頸部６４に装着され続けているタンパーエビデント裾部６に接続され続けている故に、容器の口頸部６４から離間されることはない。
【００２３】
本発明に従って構成された容器蓋２においては、非破断接続片５０ａ及び５０ｂは傾動方向が相互に逆である２個の傾動部即ち第一の傾動部５４ａ及び第二の傾動部５８ａ並びに第一の傾動部５４ｂ及び第二の傾動部５８ｂを含んでいる故に、非破断接続片５０ａ及び５０ｂが存在する周方向寸法は比較的小さいにも拘らず、タンパーエビデント裾部６に対して本体２が相当な長さに亘って上方に離間することを許容する。従って、口頸部６４から本体２を離脱するためには本体２を相当な長さに亘って本体２を上昇せしめる必要がある場合にも、特に問題を発生せしめることなく本体２を口頸部６４から離脱することができる。
【００２４】
容器蓋２の本体４が口頸部６４から離脱された後においては、非破断接続片５０ａ及び５０ｂの薄肉下端部６０ａ及び６０ｂをヒンジ支点として本体４を口頸部６４から遠ざかる方向に、図６に図示する状態まで旋回せしめる。かくすると、本体４に形成されている突出片４６の下端部（先端部）外側面が口頸部の係止あご部６８の上面に当接し、突出片４６の外面に形成されている段部４７が係止あご部６８の上面に係止せしめられる共に、本体４のスカート壁１０の下端がタンパーエビデント裾部６の外周面に当接し、これによって本体４は図６に図示する位置に解除自在に保持される。従って、消費者は本体４の存在によって阻害されることなく、容器内に存在する清涼飲料の如き内容物を飲食することができる。薄肉下端部６０ａ及び６０ｂは非破断接続片５０ａ及び５０ｂと充分な剛性を有するタンパーエビデント裾部６との境界領域であるので、上述したとおりの本体４の旋回は充分円滑に遂行することができる。
【００２５】
内容物の飲食を途中で中断した場合には、図６に図示する位置に保持されている本体４を口頸部６４に接近する方向に旋回せしめて再び口頸部６４に被嵌し、そして容器蓋２を閉方向に回転せしめて口頸部６４の雄螺条６６に容器蓋２の雌螺条２０を螺合せしめ、かくして容器蓋２を再び図２に図示する状態に位置せしめ、口頸部６４を仮密封することができる。
【００２６】
実験例
ポリエチレンを射出成形して図１、図２及び図４に図示するとおりの形態の容器蓋を形成した。容器蓋の呼び径は２８ｍｍであり、ナールの軸線方向上部における突条部と非突条部との半径方向段差Ｘ１は０．３０ｍｍで、ナールの軸線方向下部の軸線方向長さＬは４．２ｍｍであった。株式会社キリンテクノシステム製インクジェット式印刷機を使用してナールの軸線方向下部に印刷を施した。その結果は図７に示すとおりであり、充分に明瞭であった。
【符号の説明】
【００２７】
２：容器蓋
４：本体
６：タンパーエビデント裾部
８：天面壁
１０：スカート壁
１７：ナールの突条部
１８：ナール
１８Ａ：ナールの軸線方向上部
１８Ｂ：ナールの軸線方向下部
１９：ナールの非突条部
２０：雌螺条
２６：破断可能橋絡部
３４：係止手段
４６：突出片
５０ａ：非破断接続片
５０ｂ：非破断接続片
５２ａ：上端部
５２ｂ：上端部
５４ａ：第一の傾動部
５４ｂ：第二の傾動部
５６ａ：中間部
５６ｂ：中間部
５８ａ：第二の傾動部
５８ｂ：第二の傾動部
６０ａ：下端部（薄肉下端部）
６０ｂ：下端部（薄肉下端部）
６４：口頸部
６６：雄螺条
６８：係止あご部
【図１】
0005600418.tif 000002
【図２】
0005600418.tif 000003
【図３】
0005600418.tif 000004
【図４】
0005600418.tif 000005
【図５】
0005600418.tif 000006
【図６】
0005600418.tif 000007
【図７】
0005600418.tif 000008